(57)【要約】【課題】より簡易な構成で差圧式流量計の状態を通知することが可能な差圧式流量計を提供する。【解決手段】流体が流れる流路における異なる位置の差圧を検出し、検出された差圧から流体の流量を算出する差圧式流量計であって、複数の色の光を発することが可能な、１つの表示灯と、差圧式流量計の状態に対応するように、表示灯の発光の仕方を制御するプロセッサと、を備える、差圧式流量計が提供される。【選択図】図２
2020094920.tif 000002
【特許請求の範囲】
【請求項１】
流体が流れる流路における異なる位置の差圧を検出し、検出された前記差圧から前記流体の流量を算出する差圧式流量計であって、
複数の色の光を発することが可能な、１つの表示灯と、
前記差圧式流量計の状態に対応するように、前記表示灯の発光の仕方を制御するプロセッサと、
を備える、差圧式流量計。
【請求項２】
前記プロセッサは、前記表示灯の発光の仕方として、前記差圧式流量計の状態に対応するように、前記表示灯の発光の有無、前記表示灯の発光色、および前記表示灯の発光間隔のうちの１つまたは２つ以上を制御する、請求項１に記載の差圧式流量計。
【請求項３】
前記差圧式流量計の状態を遷移させるための操作が可能なスイッチをさらに備え、
前記プロセッサは、前記スイッチに対する操作により遷移する前記差圧式流量計の状態に対応するように、前記表示灯の発光の仕方を制御する、請求項１または２に記載の差圧式流量計。
【請求項４】
前記プロセッサは、電源からの電力供給状態、算出された前記流体の流量の値と閾値との比較、および前記スイッチから伝達される信号のうちの１つまたは２つ以上に基づいて、前記差圧式流量計の状態を特定する、請求項３に記載の差圧式流量計。
【請求項５】
前記閾値は、算出された前記流体の流量の値の正常範囲を規定する、上限値および下限値であり、
前記プロセッサは、前記スイッチに対する操作に基づいて、算出された前記流体の流量の値を基準に、前記上限値および前記下限値を設定する、請求項４に記載の差圧式流量計。
【請求項６】
複数の色の光を発することが可能な１つの表示灯を備え、流体が流れる流路における異なる位置の差圧を検出し、検出された前記差圧から前記流体の流量を算出する差圧式流量計に用いられる表示制御方法であって、
前記差圧式流量計の状態を特定するステップと、
特定された前記差圧式流量計の状態に対応するように、前記表示灯の発光の仕方を制御するステップと、
を有する、表示制御方法。
【発明の詳細な説明】
【技術分野】
【０００１】
本発明は、差圧式流量計、および表示制御方法に関する。
【背景技術】
【０００２】
流路に流れる流体の流量を計測することが可能な計測機器として、差圧式流量計がある。表示機能を有する差圧式流量計に関する技術としては、例えば下記の特許文献１に記載の技術が挙げられる。
【先行技術文献】
【特許文献】
【０００３】
【特許文献１】特開２００６−３０８５７８号公報
【発明の概要】
【発明が解決しようとする課題】
【０００４】
差圧式流量計は、流路における異なる位置の差圧を検出し、ベルヌーイの定理を利用して検出された差圧から流体の流量を算出することによって、流体の流量を計測する機器である。差圧式流量計には、圧力損失を発生させるための絞り機構が設けられる。絞り機構による圧力損失によって、流路における異なる位置で圧力の差、すなわち差圧が生じる。
【０００５】
差圧式流量計には、“差圧式流量計の使用者（以下単に「使用者」と示す。）に差圧式流量計の状態を通知する、通知機能”が設けられる場合がある。通知機能により通知される差圧式流量計の状態としては、例えば、差圧式流量計に電源供給がされていない電源ＯＦＦ状態、差圧式流量計における計測が正常である正常状態、あるいは、差圧式流量計における計測が異常である異常状態など、複数の状態が挙げられる。
【０００６】
差圧式流量計における通知機能の実現方法としては、例えば下記のような実現方法が挙げられる。
・通知する必要がある差圧式流量計の状態の数に応じた数の表示灯が、差圧式流量計に設けられる。差圧式流量計では、通知する差圧式流量計の状態に対応するように表示灯それぞれが点灯あるいは消灯することによって、差圧式流量計の状態が通知される。
・差圧式流量計の状態を表示画面に表示することが可能な表示デバイスが差圧式流量計に設けられる。差圧式流量計では、通知する差圧式流量計の状態が表示画面に表示されることによって、差圧式流量計の状態が通知される。
【０００７】
しかしながら、上記のような実現方法では、差圧式流量計の状態の通知機能に係る部品点数が多くなる。そして、差圧式流量計の状態の通知機能に係る部品点数が多くなることは、差圧式流量計のコストの上昇を招く可能性があり、また、差圧式流量計のサイズの増大を招く可能性がある。
【０００８】
本発明では、より簡易な構成で差圧式流量計の状態を通知することが可能な、新規かつ改良された差圧式流量計、および表示制御方法を提案する。
【課題を解決するための手段】
【０００９】
本発明の一の観点によれば、流体が流れる流路における異なる位置の差圧を検出し、検出された上記差圧から上記流体の流量を算出する差圧式流量計であって、複数の色の光を発することが可能な、１つの表示灯と、上記差圧式流量計の状態に対応するように、上記表示灯の発光の仕方を制御するプロセッサと、を備える、差圧式流量計が、提供される。
【００１０】
かかる構成では、１つの表示灯の発光の仕方によって、差圧式流量計の状態が通知される。よって、かかる構成によって、より簡易な構成で差圧式流量計の状態を通知することができる。
【００１１】
また、上記プロセッサは、上記表示灯の発光の仕方として、上記差圧式流量計の状態に対応するように、上記表示灯の発光の有無、上記表示灯の発光色、および上記表示灯の発光間隔のうちの１つまたは２つ以上を制御してもよい。
【００１２】
また、上記差圧式流量計の状態を遷移させるための操作が可能なスイッチをさらに備え、上記プロセッサは、上記スイッチに対する操作により遷移する上記差圧式流量計の状態に対応するように、上記表示灯の発光の仕方を制御してもよい。
【００１３】
また、上記プロセッサは、電源からの電力供給状態、算出された上記流体の流量の値と閾値との比較、および上記スイッチから伝達される信号のうちの１つまたは２つ以上に基づいて、上記差圧式流量計の状態を特定してもよい。
【００１４】
また、上記閾値は、算出された上記流体の流量の値の正常範囲を規定する、上限値および下限値であり、上記プロセッサは、上記スイッチに対する操作に基づいて、算出された上記流体の流量の値を基準に、上記上限値および上記下限値を設定する、請求項４に記載の差圧式流量計。
【００１５】
また、本発明の他の観点によれば、複数の色の光を発することが可能な１つの表示灯を備え、流体が流れる流路における異なる位置の差圧を検出し、検出された上記差圧から上記流体の流量を算出する差圧式流量計に用いられる表示制御方法であって、上記差圧式流量計の状態を特定するステップと、特定された上記差圧式流量計の状態に対応するように、上記表示灯の発光の仕方を制御するステップと、を有する、表示制御方法。
【００１６】
かかる方法が用いられる場合、１つの表示灯の発光の仕方によって、差圧式流量計の状態が通知される。よって、かかる方法が用いられることによって、より簡易な構成で差圧式流量計の状態を通知することができる。
【発明の効果】
【００１７】
本発明によれば、より簡易な構成で差圧式流量計の状態を通知することができる。
【図面の簡単な説明】
【００１８】
【図１】本発明の実施形態に係る差圧式流量計の一例を示す外観図である。
【図２】本発明の実施形態に係る差圧式流量計のハードウェア構成の一例を示すブロック図である。
【図３】本発明の実施形態に係る表示制御方法に係る処理の一例を示す流れ図である。
【図４】本発明の実施形態に係る差圧式流量計が備えるプロセッサが行う、表示灯の発光の仕方の制御の一例を示す説明図である。
【図５】本発明の実施形態に係る差圧式流量計における処理の一例を示す流れ図である。
【発明を実施するための形態】
【００１９】
以下に添付図面を参照しながら、本発明の実施形態について説明する。なお、本明細書および図面において、実質的に同一の機能構成を有する構成要素については、同一の符号を付することにより重複説明を省略する。
【００２０】
（本発明の実施形態に係る差圧式流量計）
［１］本発明の実施形態に係る差圧式流量計の概要
本発明の実施形態に係る差圧式流量計は、流体が流れる流路における異なる位置の差圧を検出し、検出された差圧から流体の流量を算出する機器である。本発明の実施形態に係る流体としては、気体、または液体が挙げられる。また、本発明の実施形態に係る流路とは、気体または液体が搬送される搬送路である。
【００２１】
本発明の実施形態に係る差圧式流量計は、例えば“潤滑油を霧状にして所定の箇所に供給する給油装置における、潤滑油（気体または液体）の搬送の有無の検出”に用いられる。給油装置とは、例えば、霧状の油を圧縮空気により配管内を搬送させることによって、所定の箇所に供給する装置である。より具体的には、給油装置には、所定の箇所に潤滑油を供給するためのノズルが設けられ、本発明の実施形態に係る差圧式流量計は、上記ノズルに搬送される潤滑油の搬送の有無の検出に用いられる。なお、本発明の実施形態に係る差圧式流量計が適用可能な用途が、上記に示す例に限られないことは、言うまでもない。
【００２２】
上述したように、差圧式流量計の状態の通知機能の実現方法としては、例えば、“通知する必要がある差圧式流量計の状態の数に応じた数の表示灯を差圧式流量計に設ける方法”と、“差圧式流量計の状態を表示画面に表示することが可能な表示デバイスを差圧式流量計に設ける方法”とが、挙げられる。しかしながら、上述したような実現方法では、差圧式流量計の状態の通知機能に係る部品点数が多くなり、差圧式流量計のコストの上昇と圧式流量計のサイズの増大とを招く可能性がある。
【００２３】
そこで、本発明の実施形態に係る差圧式流量計は、差圧式流量計の状態の通知機能に係る部材として、１つの表示灯を備える。そして、本発明の実施形態に係る差圧式流量計は、１つの表示灯の発光の仕方を制御することによって、差圧式流量計の状態を通知する。
【００２４】
１つの表示灯の発光の仕方により差圧式流量計の状態が通知されることによって、上述したような実現方法よりもより少ない部品点数で、差圧式流量計の状態の通知機能を実現することができる。よって、本発明の実施形態に係る差圧式流量計は、より簡易な構成で差圧式流量計の状態を通知することができる。また、より少ない部品点数で差圧式流量計の状態の通知機能が実現されることによって、差圧式流量計のコストの低減と差圧式流量計の小型化との両立を図ることができる。
【００２５】
［２］本発明の実施形態に係る差圧式流量計の構成、および制御の一例
以下、本発明の実施形態に係る差圧式流量計の構成と、本発明の実施形態に係る差圧式流量計における制御の一例とを説明する。なお、下記に示す差圧式流量計の構成と制御とは一例であり、本発明の実施形態に係る差圧式流量計の構成および制御の例は、下記に示す例に限られない。
【００２６】
図１は、本発明の実施形態に係る差圧式流量計１００の一例を示す外観図である。なお、本発明の実施形態に係る差圧式流量計の外観が、図１に示す例に限られないことは、言うまでもない。図２は、本発明の実施形態に係る差圧式流量計１００のハードウェア構成の一例を示すブロック図である。差圧式流量計１００は、例えば、検出部材１０２と、プロセッサ１０４と、表示灯１０６と、スイッチ１０８とを備える。
【００２７】
また、図２では示していないが、差圧式流量計１００は、例えば、ＲＯＭ（Read  Only  Memory。図示せず）と、ＲＡＭ（Random  Access  Memory。図示せず）とを、備えていてもよい。差圧式流量計１００は、例えば、差圧式流量計１００が備えているバッテリなどの内部電源（図示せず）から供給される電力、または、接続されている外部電源（図示せず）から供給される電力などによって、駆動する。以下では、内部電源と外部電源とを総称して「電源」と示す。
【００２８】
ＲＯＭ（図示せず）は、プロセッサ１０４が使用するプログラムや演算パラメータなどの制御用データを記憶する。ＲＡＭ（図示せず）は、プロセッサ１０４により実行されるプログラムなどを一時的に記憶する。なお、ＲＯＭ（図示せず）とＲＡＭ（図示せず）とは、プロセッサ１０４の一部であってもよい。
【００２９】
［２−１］検出部材１０２
検出部材１０２は、流体が流れる流路における異なる位置の差圧を検出する。流路における異なる位置の差圧としては、例えば“流体の全圧（動圧と静圧との和）と流体の静圧との差の圧力”が挙げられる。
【００３０】
検出部材１０２は、例えば、絞り機構（図示せず）と、１つの差圧センサ（図示せず）、もしくは２つの圧力センサ（図示せず）とを有する。以下では、検出部材１０２が２つの圧力センサ（図示せず）を有する場合を例に挙げる。
【００３１】
絞り機構（図示せず）は、圧力損失を発生させるための機構であり、例えば、オリフィス、ノズル、ベンチュリ管の３種類に分類される。
【００３２】
１つの差圧センサ（図示せず）、もしくは２つの圧力センサ（図示せず）は、流路における異なる位置の圧力が検出可能な位置に設けられる。一例を挙げると、絞り機構（図示せず）の種類がオリフィスである場合、２つの圧力センサは、例えば、流路における絞り機構の前後（流体が絞り機構に到達する前の位置、および流体が絞り機構に到達した後の位置）に配置される。他の例を挙げると、絞り機構の種類がベンチュリ管である場合、２つの圧力センサは、例えば、流路外で異なるベンチュリ管に接続されるように配置される。圧力センサは、例えばダイヤフラム（図示せず）と感圧素子（図示せず）とを有する。２つの圧力センサは、ダイヤフラムを介して感圧素子で検出された圧力を信号（電気信号）に変換して、プロセッサ１０４へそれぞれ出力する。
【００３３】
なお、検出部材１０２の構成は、上記に示す例に限られない。例えば、検出部材１０２は、差圧を示す信号をプロセッサ１０４へ出力する構成であってもよい。以下では、検出部材１０２が有する２つの圧力センサそれぞれから圧力を示す信号がプロセッサ１０４へそれぞれ出力される場合を、例に挙げる。
【００３４】
［２−２］表示灯１０６
表示灯１０６は、複数の色の光を発することが可能な部材であり、差圧式流量計１００では、１つの表示灯が設けられる。例えば、表示灯１０６は、異なる色の光をそれぞれ発する複数の発光ダイオードを有し、表示灯１０６では、発光ダイオードそれぞれが発光することによって、複数の色の光を発することが可能である。複数の発光ダイオードは、ＩＣ（Integrated  Circuit）上に設けられていてもよい。なお、表示灯１０６の構成は、上記に示す例に限られない。例えば、表示灯１０６は、カラーフィルタを有し、カラーフィルタを介することにより複数の色の光が実現される構成であってもよい。
【００３５】
以下では、表示灯１０６が、青色の光と赤色の光との２色の光を発することが可能な構成である場合を、例に挙げる。なお、表示灯１０６が発する光の数、および表示灯１０６が発する光の色の組み合わせが、以下に示す例に限られないことは、言うまでもない。
【００３６】
後述するように、表示灯１０６の発光の仕方は、プロセッサ１０４により制御される。
【００３７】
［２−３］スイッチ１０８
スイッチ１０８は、使用者が差圧式流量計１００の状態を遷移させるための操作を行うこと可能な操作部材である。スイッチ１０８としては、例えば“モーメンタリ動作する、１つの押下スイッチ”が挙げられる。
【００３８】
なお、スイッチ１０８は、押下スイッチに限られず、モーメンタリ動作する任意の型のスイッチであってもよい。また、差圧式流量計１００は、スイッチ１０８として、同一の型のスイッチを複数備えていてもよいし、異種の型のスイッチを備えていてもよい。差圧式流量計１００がスイッチ１０８として１つの押下スイッチを備える場合には、差圧式流量計１００がスイッチ１０８として複数のスイッチを備える場合よりも、操作に係る部品点数を減らすことができ、コストの低減および小型化を図ることができるという利点がある。以下では、スイッチ１０８が“モーメンタリ動作する、１つの押下スイッチ”である場合を例に挙げる。
【００３９】
スイッチ１０８は、操作に応じた信号をプロセッサ１０４へ出力する。後述するように、プロセッサ１０４は、スイッチ１０８から伝達される信号に基づいて、操作に対応する差圧式流量計１００の状態を特定する。よって、使用者は、スイッチ１０８に対する操作を行うことによって、差圧式流量計１００の状態を、操作に対応する状態に遷移させることができる。そして、プロセッサ１０４は、特定された状態に対応するように表示灯１０６の発光の仕方を制御する。つまり、プロセッサ１０４は、スイッチ１０８に対する操作により遷移する差圧式流量計１００の状態に対応するように、表示灯１０６の発光の仕方を制御する。
【００４０】
［２−４］プロセッサ１０４
プロセッサ１０４は、例えば“ＭＰＵ（Micro  Processing  Unit）などの演算回路で構成される、１または２以上のプロセッサ”で構成され、検出部材１０２から伝達される信号に基づいて差圧を算出する。プロセッサ１０４は、例えば、検出部材１０２から伝達される信号が示す圧力の差の絶対値をとることにより、差圧を算出する。検出部材１０２により検出された圧力に基づきプロセッサ１０４が差圧を算出することによって、差圧式流量計１００では、流体が流れる流路における異なる位置の差圧が検出される。
【００４１】
そして、プロセッサ１０４は、ベルヌーイの定理を利用することによって、算出した差圧（検出された差圧）から流体の流量を算出する。なお、差圧に基づく流量の算出に係るアルゴリズムは、特に限定されない。つまり、プロセッサ１０４は、差圧に基づき流量を算出することが可能な任意のアルゴリズムの演算を行うことによって、流体の流量を算出することが可能である。
【００４２】
また、プロセッサ１０４は、本発明の実施形態に係る表示制御方法に係る処理を行うことによって、差圧式流量計１００の状態に対応するように、表示灯１０６の発光の仕方を制御する。差圧式流量計１００の状態としては、例えば下記に示す例が挙げられる。なお、差圧式流量計１００の状態が、下記に示す例に限られないことは、言うまでもない。
・電源ＯＦＦ状態
・電源ＯＮ、かつ閾値設定なし状態
・閾値設定中状態
・閾値設定完了状態
・正常状態
・異常状態
・異常状態の解除状態
【００４３】
本発明の実施形態に係る閾値とは、例えば、算出された流体の流量の値が正常であるか異常であるかの判定に用いられる値である。閾値は、例えば、ＲＯＭ（図示せず）、ＲＡＭ（図示せず）などの記録媒体に記憶され、プロセッサ１０４により適宜参照される。
【００４４】
なお、本発明の実施形態に係る閾値は、上記に示す例に限られない。例えば、本発明の実施形態に係る閾値は、検出された差圧が正常であるか異常であるかの判定に用いられる値であってもよい。ここで、流体の流量は、検出される差圧に基づき算出される。よって、検出された差圧が正常であるか異常であるかの判定に用いられる閾値を用いる判定結果を、算出される流体の流量の値が正常であるか異常であるかの判定結果として用いることも可能である。以下では、本発明の実施形態に係る閾値が、算出された流体の流量の値が正常であるか異常であるかの判定に用いられる値である場合を、主に例に挙げる。なお、“閾値が、検出された差圧が正常であるか異常であるかの判定に用いられる値である場合”においても、“閾値が、算出された流体の流量の値が正常であるか異常であるかの判定に用いられる値である場合”と同様に、閾値を設定することが可能である。
【００４５】
閾値としては、流量の値の正常範囲を規定する、上限値および下限値の組み合わせが、挙げられる。閾値は、予め設定される固定値であってもよいし、スイッチ１０８に対する操作に基づき任意のアルゴリズムで設定される可変値であってもよい。
【００４６】
スイッチ１０８に対する操作に基づく閾値の設定の一例を挙げると、プロセッサ１０４は、スイッチ１０６に対する操作に基づいて、算出された流体の流量の値を基準に、上限値および下限値を設定する。プロセッサ１０４は、例えば、スイッチ１０６に対する閾値設定操作が検出されると、当該閾値設定操作が行われる前に算出された流体の流量の値、または、当該閾値設定操作が行われた後に算出された流体の流量の値を基準として、上限値および下限値を設定する。
【００４７】
プロセッサ１０４は、例えば、基準となる流量の値に対して係数Ａ（Ａは、１より大きい実数。）を乗算すること、または、基準となる流量の値に対して調整値ａ（ａは、０より大きい実数。）を加算することによって、上限値を算出する。また、プロセッサ１０４は、例えば、基準となる流量の値に対して係数Ｂ（Ｂは、０より大きく１より小さい実数。）を乗算すること、または、基準となる流量の値に対して調整値ｂ（ｂは、０より大きい実数。）を減算することによって、下限値を算出する。そして、プロセッサ１０４は、算出された上限値および下限値をＲＡＭ（図示せず）などの記録媒体に記憶させる。係数Ａ、調整値ａ、係数Ｂ、および調整値ｂそれぞれは、予め設定されている固定値であってもよいし、変更可能な可変値であってもよい。なお、上限値と下限値との設定方法が、上記に示す例に限られないことは、言うまでもない。
【００４８】
例えば差圧式流量計１００が適用されうる給油装置では、“流路における、流体を供給する所定の箇所以外の部分に存在する微小な隙間（例えば、スピンドルの間座の隙間、ギアボックスのベントホール、直動ユニットの保持器の隙間など）”に起因して、所定の箇所に供給される流体の流量が小さくなる場合がある。上記の場合において、差圧式流量計１００が固定の閾値を用いて算出された流体の流量の値が正常であるか異常であるかを判定すると、誤判定が生じる可能性がある。
【００４９】
これに対して、上記のようにスイッチ１０８に対する操作に基づき閾値が設定されることによって、差圧式流量計１００は、上記所定の箇所に供給される流体の流量が小さくなる場合においても、算出された流体の流量の値が正常であるか異常であるかを、より正確に判定することができる。
【００５０】
また、上記のようにスイッチ１０８に対する操作に基づき閾値が設定されることによって、設定される閾値は動的に変化しうる。よって、設定された閾値の変動履歴を解析することによって、例えば、空気圧機器（例えばフィルタやレギュレータなど）の経年劣化の状態を推定することが可能である。また、設定された閾値を解析することによって、空気圧機器の性能を評価すること（例えば、空気圧機器が、必要とされる流量、圧力を満たす性能を有していること）が可能である。つまり、上記のようにスイッチ１０８に対する操作に基づき閾値が設定される場合、差圧式流量計１００は、例えば、空気圧機器の経年劣化を判定する用途や、空気圧機器の性能を評価する用途に用いることができる。
【００５１】
図３は、本発明の実施形態に係る表示制御方法に係る処理の一例を示す流れ図である。
【００５２】
プロセッサ１０４は、は、差圧式流量計１００の状態を特定する（Ｓ１００）。プロセッサ１０４は、例えば、“電源からの電力供給状態”、“算出された流体の流量の値と閾値との比較”、および“スイッチ１０８から伝達される信号”のうちの１つまたは２つ以上に基づいて、差圧式流量計１００の状態を特定する。一例を挙げると、電源から電力が供給されているか否か（電源からの電力供給状態）によって、電源ＯＮ状態であるか電源ＯＦＦ状態であるかが特定される。他の例を挙げると、電源から電力が供給されているときにおける、算出された流体の流量の値と閾値との比較結果によって、正常状態または異常状態が特定される。さらに他の例を挙げると、電源から電力が供給されているときに、スイッチ１０８から伝達される信号によって、当該信号に対応する状態が特定される。なお、閾値が、差圧が正常であるか異常であるかの判定に用いられる値である場合、差圧式流量計は、“算出された流体の流量の値と閾値との比較”に代えて、“検出された差圧と閾値との比較”に基づいて、差圧式流量計１００の状態を特定することも可能である。
【００５３】
そして、プロセッサ１０４は、特定された差圧式流量計１００の状態に対応するように、表示灯１０６の発光の仕方を制御する（Ｓ１０２）。プロセッサ１０４は、表示灯１０６に対して発光を制御するための制御信号を出力することによって、表示灯１０６の発光の仕方を制御する。表示灯１０６が青色発光ダイオードと赤色発光ダイオードとを有する場合を例に挙げると、プロセッサ１０４は、例えば、青色発光ダイオードおよび赤色発光ダイオードそれぞれに対して、ハイレベルの制御信号（発光させるための制御信号の一例）、または、ローレベルの制御信号（発光させないための制御信号の一例）を出力することによって、表示灯１０６の発光の仕方を制御する。なお、本発明の実施形態に係る制御信号の例は、上記に示す例に限られない。
【００５４】
より具体的には、プロセッサ１０４は、表示灯１０６の発光の仕方として、差圧式流量計１００の状態に対応するように、表示灯１０６の発光の有無、表示灯１０６の発光色、および表示灯１０６の発光間隔のうちの１つまたは２つ以上を制御する。
【００５５】
図４は、本発明の実施形態に係る差圧式流量計１００が備えるプロセッサ１０４が行う、表示灯１０６の発光の仕方の制御の一例を示す説明図である。
【００５６】
例えば図４に示すように、プロセッサ１０４は、“表示灯１０６の発光の有無、発光させる場合の発光色、および発光させる場合の発光間隔（点滅の仕方）の組み合わせ”を、特定された差圧式流量計１００の状態ごとに変わるように、表示灯１０６の発光の仕方を制御する。なお、プロセッサ１０４が行う表示灯１０６の発光の仕方の制御の例が、図４に示す例に限られないことは、言うまでもない。
【００５７】
差圧式流量計１００では、例えば図３に示す表示制御方法に係る処理がプロセッサ１０４により行われることによって、差圧式流量計１００の状態に対応するように表示灯１０６の発光の仕方が制御される。なお、差圧式流量計１００における処理の例は、図３に示す例に限られない。差圧式流量計１００における処理の他の例については、後述する。
【００５８】
差圧式流量計１００は、例えば図２に示すハードウェア構成を有する。なお、本発明の実施形態に係る差圧式流量計のハードウェア構成は、図２に示す例に限られない。
【００５９】
例えば、本発明の実施形態に係る差圧式流量計は、スイッチ１０８を備えていなくてもよい。スイッチ１０８を備えていない構成であっても、本発明の実施形態に係る差圧式流量計は、差圧式流量計の状態に対応するように、表示灯の発光の仕方を制御することが可能であり、図２に示す差圧式流量計１００と同様の効果を奏することができる。
【００６０】
また、本発明の実施形態に係る差圧式流量計は、算出された流量の値を表示するための表示デバイス（図示せず）をさらに備えていてもよい。表示デバイスとしては、例えば、液晶ディスプレイや、有機エレクトロルミネッセンスディスプレイなどが、挙げられる。表示デバイスをさらに備える場合、当該表示デバイスは、差圧式流量計の状態を表示させる必要はなく、流量の値を表示できれば十分である。よって、表示デバイスをさらに備える場合であっても、差圧式流量計のサイズの増大は、差圧式流量計の状態も表示させるための表示デバイスを備える場合よりも抑えることが可能である。
【００６１】
また、本発明の実施形態に係る差圧式流量計は、算出された流量の値を示す信号（アナログ信号またはデジタル信号）を外部装置へ送信するための通信デバイス（図示せず）を、さらに備えていてもよい。通信デバイスとしては、例えば、ＩＥＥＥ８０２．１５．１ポートおよび送受信回路（無線通信）や、ＩＥＥＥ８０２．１１ポートおよび送受信回路（無線通信）、通信アンテナおよびＲＦ（Radio  Frequency）回路（無線通信）、あるいはＬＡＮ（Local  Area  Network）端子および送受信回路（有線通信）などが挙げられる。
【００６２】
［３］本発明の実施形態に係る差圧式流量計における処理の一例
次に、図１、図２に示す差圧式流量計１００を例に挙げて、本発明の実施形態に係る差圧式流量計における、差圧式流量計の状態の通知に係る処理の一例を示す。
【００６３】
図５は、本発明の実施形態に係る差圧式流量計１００における処理の一例を示す流れ図であり、スイッチに１０８対する操作に基づいて閾値が設定される場合における処理の一例を示している。また、図５は、電源ＯＦＦ状態から電源ＯＮ状態となった後の処理の一例である。図５に示す処理は、例えば、差圧式流量計１００が電源ＯＦＦ状態となったときに、終了する。
【００６４】
差圧式流量計１００は、流体の流量Ｆを取得する（Ｓ２００）。差圧式流量計１００は、例えば、検出部材１０２から伝達される信号が示す圧力の差の絶対値をとることにより差圧を算出し、ベルヌーイの定理を利用することによって、算出した差圧から流体の流量Ｆを算出する。
【００６５】
差圧式流量計１００は、スイッチ１０８から伝達される信号に基づいて、閾値設定操作が検出されたか否かを判定する（Ｓ２０２）。閾値設定操作としては、例えば図４に示すように“スイッチ１０８を３［ｓｅｃ］未満押下すること”が挙げられる。なお、本発明の実施形態に係る閾値設定操作が上記に示す例に限られないことは、言うまでもない。
【００６６】
ステップＳ２０２において閾値設定操作が検出されたと判定されない場合、差圧式流量計１００は、後述するステップＳ２０６の処理を行う。
【００６７】
また、ステップＳ２０２において閾値設定操作が検出されたと判定された場合、差圧式流量計１００は、閾値（上限値、下限値）を設定する（Ｓ２０４）。差圧式流量計１００は、例えばステップＳ２００において取得された流量Ｆの値を基準として、閾値を設定する。
【００６８】
ステップＳ２０２において閾値設定操作が検出されたと判定されない場合、または、ステップＳ２０４において閾値が設定された場合、差圧式流量計１００は、流量Ｆと閾値とを比較する（Ｓ２０６）。そして、差圧式流量計１００は、流量Ｆが正常範囲であるか否かを判定する（Ｓ２０８）。差圧式流量計１００は、例えば、流量Ｆの値が“下限値以上、上限値以下”である場合に、流量Ｆが正常範囲であると判定する。また、差圧式流量計１００は、例えば、流量Ｆの値が“下限値より大きく、上限値より小さい”場合に、流量Ｆが正常範囲であると判定してもよい。
【００６９】
ステップＳ２０８において流量Ｆが正常範囲であると判定された場合、差圧式流量計１００は、後述するステップＳ２１４の処理を行う。
【００７０】
また、ステップＳ２０８において流量Ｆが正常範囲であると判定されない場合、差圧式流量計１００は、異常状態を通知する（Ｓ２１０）。差圧式流量計１００は、例えば図４の異常状態に対応するように表示灯１０６の発光の仕方を制御することによって、異常状態を通知する。
【００７１】
差圧式流量計１００は、スイッチ１０８から伝達される信号に基づいて、異常解除操作が検出されたか否かを判定する（Ｓ２１２）。異常解除操作としては、例えば図４に示すように“スイッチ１０８を３［ｓec］以上押下すること”が挙げられる。なお、本発明の実施形態に係る異常解除操作が上記に示す例に限られないことは、言うまでもない。
【００７２】
ステップＳ２１２において異常解除操作が検出されたと判定されない場合、差圧式流量計１００は、ステップＳ２１０からの処理を繰り返す。
【００７３】
ステップＳ２０８において流量Ｆが正常範囲であると判定された場合、または、ステップＳ２１２において異常解除操作が検出されたと判定された場合、差圧式流量計１００は、正常状態を通知する（Ｓ２１４）。差圧式流量計１００は、例えば図４の正常状態に対応するように表示灯１０６の発光の仕方を制御することによって、正常状態を通知する。そして、差圧式流量計１００は、ステップＳ２００からの処理を繰り返す。
【００７４】
差圧式流量計１００は、例えば図５に示す処理を行うことによって、差圧式流量計１００の状態を通知する。
【００７５】
なお、本発明の実施形態に係る差圧式流量計における、差圧式流量計の状態の通知に係る処理の例は、図５に示す例に限られない。例えば、閾値が、差圧が正常であるか異常であるかの判定に用いられる値である場合、差圧式流量計は、図５に示す流量Ｆに代えて差圧を用いてもよい。
【００７６】
［４］本発明の実施形態に係る差圧式流量計が用いられることにより奏される効果の一例
本発明の実施形態に係る差圧式流量計が用いられることによって、例えば下記に示す効果が奏される。なお、本発明の実施形態に係る差圧式流量計が用いられることにより奏される効果が、下記に示す効果に限られないことは、言うまでもない。
・複数の色を表示することが可能な表示灯１つとスイッチ１つとを差圧式流量計に設け、図４に示す制御を行うことによって、“コストを抑えつつ、複数の差圧式流量計の状態を表現することが可能な、小型の差圧式流量計”を、実現することができる。
【００７７】
以上、添付図面を参照しながら本発明の実施形態について詳細に説明した。しかしながら、本発明の技術的範囲はかかる例に限定されない。本発明の技術分野における通常の知識を有する者であれば、特許請求の範囲に記載された技術的思想の範疇内において、様々な変形例に想到しうることは明らかであり、これらの変形例についても、当然に本発明の技術的範囲に属する。
【符号の説明】
【００７８】
１００    差圧式流量計
１０２    検出部材
１０４    プロセッサ
１０６    表示灯
１０８    スイッチ
【図１】
2020094920.tif 000003
【図２】
2020094920.tif 000004
【図３】
2020094920.tif 000005
【図４】
2020094920.tif 000006
【図５】
2020094920.tif 000007